(57)【要約】  【課題】  機密性を有する原稿から読み取った画像データに基づく処理の実行を制限すると共に、正当な権限を有する者による実行指示であれば、前記処理の実行を許可する画像読取装置を提供することにある。  【解決手段】  複写機100 は、原稿読取部10によって複数の原稿それぞれの表面及び裏面から画像データを取得して画像メモリ107 に記憶させる。検出部110 は、画像メモリ107 に記憶された原稿裏面から取得された画像データに基づいて、予め設定された頁の原稿裏面に所定画像が形成されているか否かを検出する。検出部110 が所定画像を検出した場合、制御部101 は、原稿読取部10が全原稿の表面から取得してた画像データを画像メモリ107 から印字部111 へ転送する。一方、検出部110 が所定画像を検出できない場合、制御部101 は、当該原稿の複写が許可されていないとして複写処理を中断し、画像メモリ107 に記憶させてある画像データを消去する。【選択図】        図１
2006025255.tif 000002
【特許請求の範囲】
【請求項１】
原稿を読み取り、画像データを取得する画像読取装置において、
複数の原稿それぞれの一面に形成されている画像を連続的に読み取ることにより、画像データを取得する読取手段と、
前記複数の原稿の他面から所定画像を検出する検出手段と、
該検出手段が所定画像を検出したか否かに基づいて、前記読取手段が取得した画像データに基づく処理の実行が許可されているか否かを判断する判断手段と
を備えることを特徴とする画像読取装置。
【請求項２】
前記検出手段は、前記複数の原稿の内の所定番目の原稿の他面から所定画像を検出するようにしてあることを特徴とする請求項１に記載の画像読取装置。
【請求項３】
前記判断手段は、前記検出手段が所定画像を検出した場合、前記読取手段が全原稿の一面から取得した画像データに基づく処理の実行が許可されていると判断するようにしてあることを特徴とする請求項１又は２に記載の画像読取装置。
【請求項４】
前記検出手段は、前記複数の原稿それぞれの他面から所定画像を検出するようにしてあり、
前記判断手段は、前記検出手段が所定画像を検出した原稿の一面から前記読取手段が取得した画像データに基づく処理の実行が許可されていると判断するようにしてあることを特徴とする請求項１に記載の画像読取装置。
【請求項５】
前記検出手段は、前記複数の原稿それぞれの他面から所定画像を検出するようにしてあり、
前記判断手段は、前記検出手段が偶数枚の原稿から所定画像を検出した場合、前記所定画像が検出された原稿の内の奇数番目の原稿から次に前記所定画像が検出された原稿までの間の各原稿の一面から前記読取手段が取得した画像データに基づく処理の実行が許可されていると判断するようにしてあることを特徴とする請求項１に記載の画像読取装置。
【請求項６】
前記検出手段が所定画像を検出した場合に認証を行なう認証手段を備え、
前記判断手段は、前記認証手段により正当であると認証された場合、前記読取手段が全原稿の一面から取得した画像データに基づく処理の実行が許可されたと判断するようにしてあることを特徴とする請求項１又は２に記載の画像読取装置。
【請求項７】
前記検出手段は、前記複数の原稿それぞれの他面から所定画像を検出するようにしてあり、
前記検出手段がいずれかの原稿から所定画像を検出した場合に認証を行なう認証手段を備え、
前記判断手段は、前記所定画像が検出されなかった原稿の一面から前記読取手段が取得した画像データに基づく処理の実行が許可されていると判断すると共に、前記認証手段により正当であると認証された場合、前記所定画像が検出された原稿の一面から前記読取手段が取得した画像データに基づく処理の実行が許可されたと判断するようにしてあることを特徴とする請求項１に記載の画像読取装置。
【請求項８】
前記検出手段は、前記複数の原稿それぞれの他面から所定画像を検出するようにしてあり、
前記検出手段が偶数枚の原稿から所定画像を検出した場合に認証を行なう認証手段を備え、
前記判断手段は、前記検出手段が偶数枚の原稿から所定画像を検出した場合、前記所定画像が検出された原稿の内の奇数番目の原稿から次に前記所定画像が検出された原稿までの間にない各原稿の一面から前記読取手段が取得した画像データに基づく処理の実行が許可されていると判断すると共に、前記認証手段により正当であると認証された場合、前記奇数番目の原稿から次に前記所定画像が検出された原稿までの間の各原稿の一面から前記読取手段が取得した画像データに基づく処理の実行が許可されたと判断するようにしてあることを特徴とする請求項１に記載の画像読取装置。
【請求項９】
前記検出手段が所定画像を検出した時点で、前記読取手段による画像の読取を中断させる手段と、
前記認証手段により正当であると認証された場合、中断していた画像の読取を前記読取手段に再開させる手段と
を備えることを特徴とする請求項６乃至８のいずれかひとつに記載の画像読取装置。
【請求項１０】
前記検出手段は、前記原稿の他面から複数の所定画像を検出するようにしてあることを特徴とする請求項１乃至９のいずれかひとつに記載の画像読取装置。
【請求項１１】
前記読取手段が取得した画像データに基づく処理の実行が許可されていないと前記判断手段が判断した場合、前記処理を実行できない旨を報知する手段を備えることを特徴とする請求項１乃至１０のいずれかひとつに記載の画像読取装置。
【請求項１２】
前記読取手段が取得する画像データを記憶する記憶手段と、
前記読取手段が取得した画像データに基づく処理の実行が許可されていないと前記判断手段が判断した場合、前記記憶手段に記憶させた前記画像データを消去する手段と
を備えることを特徴とする請求項１乃至１１のいずれかひとつに記載の画像読取装置。
【発明の詳細な説明】
【技術分野】
【０００１】
本発明は、機密性を有する文書を読み取って得られた画像データに基づく処理の実行を制限することが可能な画像読取装置に関する。
【背景技術】
【０００２】
従来、パーソナルコンピュータのような情報処理装置と、プリンタ、複合機等の画像形成装置とを接続したプリントシステムが構築されており、情報処理装置にて作成されたドキュメント、グラフィックス等のデータが画像形成装置へ転送され、転送されたデータに基づく画像が画像形成装置にて用紙に形成される。情報処理装置が扱うデータには、企業秘密を記載したデータが含まれている場合があり、このような機密性を有するデータに基づく画像が形成された原稿を取り扱う利用者は、不正な複製を防止するために十分な注意を払う必要がある。
【０００３】
そこで、機密性を有する文書を取り扱う利用者の負担を軽減するために、バーコードのような特定の画像を原稿に付加しておくことにより、原稿を複写する際に前記バーコードを光学的に検出した場合、機密文書であると判断して複写動作を自動的に中断する複写機が提案されている（例えば、特許文献１参照）。同様に、特定のパターンを原稿に追加しておくことにより、原稿を複写する際に前記パターンを光学的に検出した場合、機密文書であると判断して複写動作を自動的に停止する複写機が提案されている（例えば、特許文献２〜５参照）。更に、原稿を複写する際に特定のパターンを検出した場合、読み取った画像の画質を劣化させて出力する複写機が提案されている（例えば、特許文献５参照）。
【特許文献１】特開昭５４−３２３２２号公報
【特許文献２】特開平４−２２７３６５号公報
【特許文献３】特開平５−１２４２２号公報
【特許文献４】特開平６−２００２７号公報
【特許文献５】特開平７−３８７４７号公報
【発明の開示】
【発明が解決しようとする課題】
【０００４】
しかし、上述したような複写機を用いる場合、例えば機密文書の作成者のように正当な権限を有する者であってもこの機密文書を複写することができないため、機密文書の複製が必要である場合には、プリンタによる画像出力を再度行なう必要があり、機密文書の取り扱いが非常に煩雑になるという問題がある。
【０００５】
一方、上述したような複写機を、例えば認証によって正当であるとされた者においては、禁止されている機密文書の複写を可能とするように構成することもできる。しかし、このような複写機を用いた場合、上述したように機密文書であることを示すためのバーコード又は特定のパターンが表面に付加された原稿を読み取ることになるので、本来の読取対象である画像のみならず、バーコード又は特定のパターンも読み取ってしまう。このため、読み取った画像を複写した場合に意味のない情報が原稿の画像に加えられることになり、画質の劣化を生じる虞がある。従って、利用者の意図した画像を得ることができない場合があり、利用者に不満を与えることがある。
【０００６】
本発明は斯かる事情に鑑みてなされたものであり、その目的とするところは、複数の原稿の内の所定の原稿裏面に所定画像が形成されている原稿束において、それぞれの原稿の表面から読み取った画像データに基づく処理の実行を制限することが可能な画像読取装置を提供することにある。
【０００７】
本発明の他の目的は、読み取った画像データに基づく処理の実行が制限されている原稿においても、正当な権限を有する者による実行指示であれば、前記処理の実行を許可することが可能な画像読取装置を提供することにある。
【課題を解決するための手段】
【０００８】
本発明に係る画像読取装置は、原稿を読み取り、画像データを取得する画像読取装置において、複数の原稿それぞれの一面に形成されている画像を連続的に読み取ることにより、画像データを取得する読取手段と、前記複数の原稿の他面から所定画像を検出する検出手段と、該検出手段が所定画像を検出したか否かに基づいて、前記読取手段が取得した画像データに基づく処理の実行が許可されているか否かを判断する判断手段とを備えることを特徴とする。
【０００９】
本発明によれば、複数の原稿それぞれの一面に形成された画像を連続的に読み取ることにより画像データを取得する画像読取装置が、前記複数の原稿の他面から所定画像を検出したか否かに基づいて、読み取った画像データに基づく処理の実行が許可されているか否かを判断する。よって、原稿の例えば裏面に所定画像が形成されているか否かに基づいて、複数の原稿それぞれの表面から読み取った画像データに基づく処理の実行を制限することが可能となる。また、所定画像が裏面に形成された原稿を読み取るため、原稿の表面から読み取る画像データの画質の劣化を防止することが可能となる。
【００１０】
本発明に係る画像読取装置は、前記検出手段は、前記複数の原稿の内の所定番目の原稿の他面から所定画像を検出するようにしてあることを特徴とする。
【００１１】
本発明によれば、複数の原稿の内の所定番目の原稿の他面から所定画像を検出したか否かに基づいて、前記原稿から読み取った画像データに基づく処理の実行が許可されているか否かを判断する。よって、所定番目の原稿の例えば裏面に所定画像が形成されているか否かに基づいて、各原稿の表面から読み取った画像データに基づく処理の実行を制限することが可能となる。
【００１２】
本発明に係る画像読取装置は、前記判断手段は、前記検出手段が所定画像を検出した場合、前記読取手段が全原稿の一面から取得した画像データに基づく処理の実行が許可されていると判断するようにしてあることを特徴とする。
【００１３】
本発明によれば、所定画像が検出された場合、全原稿それぞれの一面から読み取った画像データに基づく処理の実行が許可されていると判断する。よって、機密性を有する複数の原稿からなる原稿束において、いずれかの原稿の他面に所定画像を形成しておかないことにより、当該原稿束に基づく処理を禁止することが可能となる。
【００１４】
本発明に係る画像読取装置は、前記検出手段は、前記複数の原稿それぞれの他面から所定画像を検出するようにしてあり、前記判断手段は、前記検出手段が所定画像を検出した原稿の一面から前記読取手段が取得した画像データに基づく処理の実行が許可されていると判断するようにしてあることを特徴とする。
【００１５】
本発明によれば、複数の原稿それぞれの他面から所定画像を検出しており、前記所定画像を検出した場合に、前記所定画像が検出された原稿の一面から読み取った画像データに基づく処理が許可されていると判断する。よって、複数の原稿からなる原稿束において、前記処理を許可したい原稿の他面に所定画像を形成しておくことにより、前記所定画像が形成されていない原稿の一面から読み取った画像データに基づく処理を禁止することが可能となる。
【００１６】
本発明に係る画像読取装置は、前記検出手段は、前記複数の原稿それぞれの他面から所定画像を検出するようにしてあり、前記判断手段は、前記検出手段が偶数枚の原稿から所定画像を検出した場合、前記所定画像が検出された原稿の内の奇数番目の原稿から次に前記所定画像が検出された原稿までの間の各原稿の一面から前記読取手段が取得した画像データに基づく処理の実行が許可されていると判断するようにしてあることを特徴とする。
【００１７】
本発明によれば、複数の原稿それぞれの他面から所定画像を検出しており、偶数枚の原稿から所定画像が検出された場合、前記所定画像が検出された原稿の内の奇数番目の原稿から次に前記所定画像が検出された原稿までの間の各原稿の一面から読み取った画像データに基づく処理の実行が許可されていると判断する。よって、連続する複数枚の原稿から読み取った画像データに基づく処理の実行を許可する場合に、連続する原稿の内の最初の原稿及び最後の原稿に所定画像を形成しておけばよい。
【００１８】
本発明に係る画像読取装置は、前記検出手段が所定画像を検出した場合に認証を行なう認証手段を備え、前記判断手段は、前記認証手段により正当であると認証された場合、前記読取手段が全原稿の一面から取得した画像データに基づく処理の実行が許可されたと判断するようにしてあることを特徴とする。
【００１９】
本発明によれば、原稿の他面から所定画像が検出された場合に認証を行ない、正当であると認証された場合に、全原稿それぞれの一面から読み取った画像データに基づく処理の実行が許可されたと判断する。よって、機密性を有する複数の原稿からなる原稿束において、いずれかの原稿の他面に所定画像を形成しておくことにより、当該原稿束に基づく処理を制限することが可能となる。
【００２０】
本発明に係る画像読取装置は、前記検出手段は、前記複数の原稿それぞれの他面から所定画像を検出するようにしてあり、前記検出手段がいずれかの原稿から所定画像を検出した場合に認証を行なう認証手段を備え、前記判断手段は、前記所定画像が検出されなかった原稿の一面から前記読取手段が取得した画像データに基づく処理の実行が許可されていると判断すると共に、前記認証手段により正当であると認証された場合、前記所定画像が検出された原稿の一面から前記読取手段が取得した画像データに基づく処理の実行が許可されたと判断するようにしてあることを特徴とする。
【００２１】
本発明によれば、複数の原稿それぞれの他面から所定画像を検出しており、前記所定画像が検出されなかった原稿の一面から読み取った画像データに基づく処理が許可されていると判断する。一方、いずれかの原稿から所定画像が検出された場合に認証を行ない、正当であると認証された場合、前記所定画像が検出された原稿の一面から読み取った画像データに基づく処理の実行が許可されたと判断する。よって、複数の原稿からなる原稿束において、前記所定画像が形成された原稿の一面から読み取った画像データに基づく処理を制限することが可能となる。
【００２２】
本発明に係る画像読取装置は、前記検出手段は、前記複数の原稿それぞれの他面から所定画像を検出するようにしてあり、前記検出手段が偶数枚の原稿から所定画像を検出した場合に認証を行なう認証手段を備え、前記判断手段は、前記検出手段が偶数枚の原稿から所定画像を検出した場合、前記所定画像が検出された原稿の内の奇数番目の原稿から次に前記所定画像が検出された原稿までの間にない各原稿の一面から前記読取手段が取得した画像データに基づく処理の実行が許可されていると判断すると共に、前記認証手段により正当であると認証された場合、前記奇数番目の原稿から次に前記所定画像が検出された原稿までの間の各原稿の一面から前記読取手段が取得した画像データに基づく処理の実行が許可されたと判断するようにしてあることを特徴とする。
【００２３】
本発明によれば、複数の原稿それぞれの他面から所定画像を検出しており、偶数枚の原稿から所定画像が検出された場合、前記所定画像が検出された原稿の内の奇数番目の原稿から次に前記所定画像が検出された原稿までの間にない各原稿の一面から読み取った画像データに基づく処理の実行が許可されていると判断する。一方、偶数枚の原稿から所定画像を検出した場合に認証を行ない、正当であると認証された場合、前記奇数番目の原稿から次に前記所定画像が検出された原稿までの間の各原稿の一面から読み取った画像データに基づく処理の実行が許可されたと判断する。よって、連続する複数枚の原稿から読み取った画像データに基づく処理の実行を制限する場合に、連続する原稿の内の最初の原稿及び最後の原稿に所定画像を形成しておけばよい。
【００２４】
本発明に係る画像読取装置は、前記検出手段が所定画像を検出した時点で、前記読取手段による画像の読取を中断させる手段と、前記認証手段により正当であると認証された場合、中断していた画像の読取を前記読取手段に再開させる手段とを備えることを特徴とする。
【００２５】
本発明によれば、原稿の他面から所定画像を検出した時点で、前記原稿の読取を中断させ、認証結果が正当であれば中断していた画像の読取を再開させる。よって、認証結果が正当でない場合に無駄となる原稿の読取処理における処理負担を軽減することが可能である。
【００２６】
本発明に係る画像読取装置は、前記検出手段は、前記原稿の他面から複数の所定画像を検出するようにしてあることを特徴とする。
【００２７】
本発明によれば、原稿の他面から複数の所定画像が検出されたか否かに基づいて、当該原稿に基づく処理を確実に制限することが可能となる。
【００２８】
本発明に係る画像読取装置は、前記読取手段が取得した画像データに基づく処理の実行が許可されていないと前記判断手段が判断した場合、前記処理を実行できない旨を報知する手段を備えることを特徴とする。
【００２９】
本発明によれば、原稿の一面から読み取った画像データに基づく処理の実行が許可されていないと判断した場合、前記処理を実行できない旨を報知することにより、例えば原稿を複写しようとした利用者に、正当な権限を有さないために複写できない旨を通知することが可能となる。
【００３０】
本発明に係る画像読取装置は、前記読取手段が取得する画像データを記憶する記憶手段と、前記読取手段が取得した画像データに基づく処理の実行が許可されていないと前記判断手段が判断した場合、前記記憶手段に記憶させた前記画像データを消去する手段とを備えることを特徴とする。
【００３１】
本発明によれば、原稿から読み取って取得した画像データを一時的に記憶しておく記憶手段を備えており、読み取った画像データに基づく処理の実行が許可されていないと判断した場合、前記記憶手段に記憶させた画像データを消去する。よって、利用者から指示された処理の実行ができない場合には、それまでに原稿から読み取った画像データを自身の装置内に保持しておかない。
【発明の効果】
【００３２】
本発明では、複数の原稿それぞれの例えば表面に形成された画像を連続的に読み取ることにより画像データを取得する画像読取装置が、各原稿の裏面に所定画像を検出できたか否かに基づいて、表面から読み取った画像データに基づく処理の実行を制限することができる。また、複数の原稿の内の所定番目の原稿の例えば裏面から所定画像を検出したか否かに基づいて、前記原稿それぞれの表面から読み取った画像データに基づく処理の実行を制限することができる。なお、前記所定画像が裏面に形成された原稿を読み取るため、読み取った画像データに不要な情報が含まれず、画質の劣化を防止することができる。
【００３３】
本発明では、所定画像が検出された場合、全原稿それぞれの一面から読み取った画像データに基づく処理の実行が許可されていると判断することができる。よって、いずれの原稿の他面にも所定画像が形成されていない原稿束においては、読み取った画像データに基づく処理の実行が許可されておらず、読み取った画像データに基づく前記処理の実行が禁止される。従って、機密性を有する原稿束において、いずれかの原稿の他面に所定画像を形成しておかないことにより、当該原稿束に基づく処理を禁止することができ、機密文書を管理する管理者の負担を軽減することができる。
【００３４】
本発明では、複数の原稿それぞれの他面から所定画像を検出し、前記所定画像が検出された原稿の一面から読み取った画像データに基づく処理が許可されていると判断する。これにより、複数の原稿からなる原稿束において、前記所定画像が形成されている原稿の一面から読み取った画像データに基づく処理の実行を可能とすることができると共に、前記所定画像が形成されていない原稿の一面から読み取った画像データに基づく処理を禁止することができる。
【００３５】
本発明では、複数の原稿それぞれの他面から所定画像を検出し、偶数枚の原稿から所定画像が検出された場合、前記所定画像が検出された原稿の内の奇数番目の原稿から次に前記所定画像が検出された原稿までの間の各原稿の一面から読み取った画像データに基づく処理の実行が許可されていると判断し、連続する複数枚の原稿に基づく処理の実行を行なうことができる。
【００３６】
本発明では、原稿の他面から所定画像が検出された場合に認証を行ない、正当であると認証された場合に、全原稿それぞれの一面から読み取った画像データに基づく処理の実行が許可されたと判断することができる。よって、機密性を有する複数の原稿からなる原稿束において、いずれかの原稿の他面に所定画像を形成しておくことにより、当該原稿束に基づく処理を制限することができ、機密文書を管理する管理者の負担を軽減することができる。
【００３７】
本発明では、複数の原稿それぞれの他面から所定画像を検出し、前記所定画像が検出されなかった原稿の一面から読み取った画像データに基づく処理が許可されていると判断し、いずれかの原稿から所定画像が検出された場合には認証を行なう。よって、前記所定画像が検出された原稿に基づく処理を制限することができる。また、正当であると認証された場合、前記所定画像が検出された原稿の一面から読み取った画像データに基づく処理の実行が許可されたと判断することにより、複数の原稿からなる原稿束において、認証結果が正当であれば前記所定画像が形成された原稿の一面から読み取った画像データに基づく処理の実行も可能とすることができる。
【００３８】
本発明では、複数の原稿それぞれの他面から所定画像を検出し、偶数枚の原稿から所定画像が検出された場合、前記所定画像が検出された原稿の内の奇数番目の原稿から次に前記所定画像が検出された原稿までの間にない各原稿の一面から読み取った画像データに基づく処理の実行が許可されていると判断すると共に認証を行なう。よって、正当であると認証された場合、前記奇数番目の原稿から次に前記所定画像が検出された原稿までの間の各原稿の一面から読み取った画像データに基づく処理の実行が許可されたと判断することにより、認証結果が正当であれば連続する複数枚の原稿から読み取った画像データに基づく処理の実行も可能とすることができる。
【００３９】
本発明では、原稿の他面から所定画像を検出した時点で、前記原稿の読取を中断させ、認証結果が正当であれば中断していた画像の読取を再開させることにより、正当であると認証されず、原稿から読み取った画像データに基づく処理が禁止された場合に無駄となる原稿の読取処理における処理負担を軽減することが可能である。
【００４０】
本発明では、原稿の表面から読み取った画像データに基づく処理を許可するか否かを示す所定画像を処理対象の原稿の他面から複数検出されたか否かに基づいて前記処理の実行が許可されているか否かを判断することにより、複数の所定画像に基づいて、当該原稿に基づく処理を確実に制限することができる。
【００４１】
本発明では、原稿の一面から読み取った画像データに基づく処理の実行が許可されていないと判断した場合に前記処理を実行できない旨を報知することにより、例えば原稿を複写しようとした利用者に、正当な権限を有さないために複写できない旨を通知することができる。
【００４２】
本発明では、原稿から読み取った画像データに基づく処理の実行が許可されていないと判断した場合に、原稿から読み取って一時的に記憶させてある画像データを消去する。よって、例えば複写するために原稿から読み取った画像データが、機密性を有するものである場合、又は複写処理を指示した利用者が正当な権限を有さない場合等のように、利用者から指示された処理の実行ができない場合には、それまでに原稿から読み取った画像データを自身の装置内に保持しておかないことにより、機密性を有する原稿から読み取った画像データの漏洩及び不正使用を確実に防止する。
【発明を実施するための最良の形態】
【００４３】
以下に、本発明に係る画像読取装置を、その実施形態である複写機を示す図面に基づいて具体的に説明する。
実施形態１．
図１は本発明の画像読取装置を適用した実施形態１に係る複写機の機能構成例を示すブロック図である。本実施形態１の複写機１００は、原稿の画像を読み取るスキャナ機能、読み取った画像に基づいてコピー用紙、ＯＨＰフィルム等のシート（以下、単に用紙と称する）上に画像を形成する複写機能、読み取った画像データを一時的に保存するファイリング機能等を有している。
【００４４】
複写機１００は、各種の演算処理を実行するＣＰＵ、制御プログラムを格納しているＲＯＭ、ＣＰＵの演算中に生成されるデータを一時的に保持するＲＡＭ等により構成される制御部１０１を備えている。制御部１０１のＣＰＵは、ＲＯＭの制御プログラムをＲＡＭにロードして実行することにより原稿読取部１０、画像形成部２０等の動作を制御する。
【００４５】
管理部１０２は、複写機１００の動作中に必要となる各種のデータを記憶する不揮発性の半導体メモリである。管理部１０２が記憶するデータとしては、例えば利用者認証を行なうための認証用データが挙げられる。なお、制御部１０１のＲＯＭには、認証処理プログラムが予め格納されており、制御部１０１のＣＰＵは、この認証処理プログラムに従って、操作パネル１０３を使用して利用者が入力した認証データと、管理部１０２に記憶させてある認証用データとが一致するか否かを判断する認証手段として動作する。
【００４６】
報知部１０６は、複写機１００を構成するハードウェア各部に生じた異常を制御部１０１が検出した場合に、その旨を周囲の利用者に通知する機能を有する。具体的には、報知部１０６は、警告音又は合成音声を出力する警報出力部、警告メッセージを表示するＬＣＤ（Liquid Crystal Display）のような表示パネル、ＬＥＤ（Light Emitting Diode）又は回転灯のような警告灯等を備える。
【００４７】
原稿読取部１０は、操作パネル１０３、ＡＤＦ１０４、光学式読取ユニット１０５等を備えている。操作パネル１０３は、利用者による操作指示を受け付ける操作部と利用者に対して報知すべき情報を表示する表示部とからなる。操作部は、利用者による操作指示を受け付けるための各種操作キーを備えており、機能の切替操作、各機能における設定値の入力、処理の実行開始指示等を受け付ける。表示部は、液晶ディスプレイを備えており、複写機１００の動作状況、操作部を通じて入力された各種の設定値、利用者に対して報知すべき情報等を表示する。また、表示部の一部には各種の選択操作を受け付けるように構成したタッチパネル方式のソフトウェアボタンが配置される。
【００４８】
ＡＤＦ（Automatic Document Feeder）１０４は、原稿トレイ１１ａ、呼込ローラ１３ａ等を備えており（図２参照）、原稿トレイ１１ａにフェイスダウンの状態で積層された複数の原稿からなる原稿束を呼込ローラ１３ａにより１枚ずつ取り込む構成となっている。
【００４９】
光学式読取ユニット（読取手段）１０５は、ＣＩＳ（Contact Image Sensor）１４、光源ユニット１５、ミラーユニット１７、結像レンズ１８、ＣＣＤラインセンサ１９等を備えており（図２参照）、ＡＤＦ１０４によって取り込んだ原稿の表面に光源ユニット１５が読取用の光を照射し、原稿からの光像をミラーユニット１７及び結像レンズ１８を用いてＣＣＤラインセンサ１９に結像させ、原稿表面（一面）に記録された画像を読み取るように構成されている。また、原稿裏面（他面）に記録された画像についてはＣＩＳ１４が同時的に読み取るように構成されている。
【００５０】
画像形成部２０は、画像メモリ１０７、検出部１１０、印字部１１１等により構成されている。画像メモリ（記憶手段）１０７は、原稿読取部１０が取得した画像データを一時的に記憶するためのページメモリであり、画像メモリ１０７に記憶された画像データは、制御部１０１からの指示により目的に応じた転送先へ転送される。具体的には、画像データは、ファイリング機能により保存する場合には、ＨＤＤインタフェース１０８へ転送され、印字処理を行なう場合には、印字部１１１へ転送される。
【００５１】
画像メモリ１０７には、ＨＤＤインタフェース１０８を介してディスク状の磁気記録媒体を有するＨＤＤ１０９が接続されている。ＨＤＤインタフェース１０８は、ＨＤＤ１０９のインタフェース規格に準拠したコマンドを発行し、そのコマンドを実行することにより、ＨＤＤ１０９に保存させる画像データの書込処理、保存された画像データの読出処理、及び不要となった画像データの消去処理を実行する。ＨＤＤ１０９の記憶領域の一部は、画像データ等を記憶するためのデータエリアとして利用されており、大量の原稿を読み取った場合等に読み取った画像データをＨＤＤ１０９に蓄積させる。
【００５２】
印字部１１１は、感光体ドラム２３を所定の電位に帯電させる帯電器２５、外部から受付けた画像データに応じてレーザ光を発して感光体ドラム２３上に静電潜像を生成させるレーザ書込装置２１、感光体ドラム２３表面に形成された静電潜像にトナーを供給して顕像化する現像器２２、感光体ドラム２３表面に形成されたトナー像を用紙上に転写する転写器２６等（図２参照）を備えており、電子写真方式にて利用者が所望する画像を用紙上に形成する。
【００５３】
上述した構成の複写機１００は、原稿読取部１０によって読取対象の原稿束中のそれぞれの原稿から読み取った画像データに基づく画像を画像形成部２０の印字部１１１によって用紙上に形成する複写処理を行なう。ここで、本実施形態１の複写機１００は、読取対象の原稿束における所定番目の原稿裏面、例えば２頁目の原稿裏面に所定の文字列又は画像が形成されているか否かを検出部１１０により判断する。
【００５４】
具体的には、光学式読取ユニット１０５は、原稿トレイ１１ａに積層された原稿束におけるそれぞれの原稿表面に形成された画像を光源ユニット１５により照射された光に基づいてＣＣＤラインセンサ１９で取得しつつ、ＣＩＳ１４によって原稿裏面に形成された画像を読み取るように構成されている。このようにしてそれぞれの原稿表面及び原稿裏面から読み取られた画像データは画像メモリ１０７に記憶される。
【００５５】
検出部（検出手段）１１０は、上述したように原稿読取部１０のＣＩＳ１４によってそれぞれの原稿裏面から読み取られ、画像メモリ１０７に一時的に保持されている画像データに基づいて、読取対象の原稿束中の２頁目の原稿裏面に所定の文字列又は画像が含まれているか否かを検出するための画像処理回路である。即ち、本実施形態１では、読取対象の原稿束が機密性を有するものであるか否かを検出するために、文字認識又はパターンマッチングを行なって、所定の文字列又は画像（以下、所定画像という）が、読取対象の原稿束中の２頁目の原稿裏面に形成されているか否かを検出している。なお、所定画像がどの原稿裏面に形成されているかの情報は、管理部１０２に記憶されている。また、本実施形態１の複写機１００は、原稿束における２頁目の原稿裏面に所定画像を形成するというルールの下で動作しているが、利用者による設定によって適宜変更することができる。
【００５６】
また、本実施形態１では、２頁目の原稿裏面に形成される所定画像は、処理対象の原稿束の複写処理の実行が許可されている旨を示すものであり、制御部（判断手段）１０１は、検出部１１０により所定画像を検出した場合、当該原稿束の複写処理の実行が許可されていると判断し、原稿読取部１０が全原稿から読み取って画像メモリ１０７に記憶してある画像データを印字部１１１へ転送させる。なお、所定画像はどのようなものであっても良いが、その大きさ、色、濃度等があまり目立たないものであることが望ましい。特に、原稿表面に形成された画像を読み取った場合に得られる画像データに影響を与えないものであることが望ましい。また、所定画像は例えば、文字列、図形又はそれらの組み合わせたものであっても良い。
【００５７】
一方、検出部１１０により所定画像が検出されなかった場合、制御部１０１は、当該原稿束の複写処理の実行が許可されていないと判断し、複写処理の実行ができない旨を操作パネル１０３に表示させて利用者に通知する。なお、操作パネル１０３によるメッセージの表示のほか、報知部１０６による報知処理を行なうことにより、複写処理の実行ができない旨を確実に利用者へ通知することができる。
【００５８】
また、制御部１０１は、当該原稿束の複写処理の実行が許可されていないと判断した場合、原稿読取部１０によりそれぞれの原稿から読み取られて画像メモリ１０７に一時的に記憶されている画像データを消去することにより、画像の無効化を実行する。このように、複写処理を行なうために一時的に記憶された画像データを複写機１００内に保持しておかないことにより、機密性を有するデータの不正使用を防止することができる。
【００５９】
図２は複写機１００の機械的内部構成例を示す縦断面図である。複写機１００の最上段には原稿読取部１０が設けられており、その下側に画像形成部２０及び排紙部４０が並列に配置され、更にそれらの下側に給紙部５０が配置されている。
【００６０】
原稿読取部１０に搭載されているＡＤＦ１０４は、読取用の原稿をフェイスダウンの状態で積層するための原稿トレイ１１ａ、積層された原稿の幅方向の位置を規制する原稿規制板１２ａ、原稿トレイ１１ａ上の原稿の有無を検知する原稿検知センサ１２ｂ，１２ｃ、原稿トレイ１１ａに積層された原稿を最下層から１枚ずつ取り込むための呼込ローラ１３ａ、呼込ローラ１３ａにより取り込んだ原稿を所定の読取位置まで搬送する搬送ローラ１３ｂ，１３ｃ、画像を読み取った後に原稿を排紙トレイ１６へ排出する排紙ローラ１３ｄにより構成されている。ＡＤＦ１０４は、操作パネル１０３を利用した利用者の指示をトリガーにして取り込みを開始し、原稿トレイ１１ａに積層された原稿を１枚ずつ取り込んで順次的に原稿の表面及び裏面に記録された画像を読み取るように構成されている。
【００６１】
原稿読取部１０に搭載されている光学式読取ユニット１０５は、原稿の裏面に記録された画像を読み取るためのＣＩＳ１４と、原稿の表面に記録された画像を読み取るために光源ユニット１５、ミラーユニット１７、結像レンズ１８、及びＣＣＤラインセンサ１９等を備えている。
【００６２】
ＣＩＳ１４は、例えば、アレイ状に配列されたイメージセンサ及び導光手段（セルフォックスレンズ等のレンズアレイ）、並びに光源（ＬＥＤアレイ光源又は蛍光灯）等を備えており、適宜の読取位置に設置されている。ここで、図３はＣＩＳ１４による原稿裏面の読取処理の様子を示す模式図であり、図２で示す原稿読取部１０を上方から見た状態を示している。ＣＩＳ１４は、原稿読取部１０のＡＤＦ１０４から順次供給され、図３中に白抜き矢符で示す方向に搬送される原稿の裏面を読み取っており、読取用の原稿がＣＩＳ１４の前面を通過する際に適宜のサンプリング周期でデータを取得することにより原稿裏面の全面の画像データを取得するように構成されている。
【００６３】
図３において、原稿裏面の中央位置のハッチングを付した領域は、上述した所定画像を示しているが、このような形成位置に限られない。即ち、ＣＩＳ１４は原稿裏面の全面を読み取るため、図３に示すような中央箇所に所定画像を形成する必要はない。
【００６４】
光源ユニット１５は、露光ランプから照射される読取用の照明光を凹面のリフレクタにより原稿台１１ｂの適宜の読取位置に集光させ、原稿台１１ｂの面に対して反射面を４５°に設置したミラーによって原稿からの反射光の光路を９０°変更してミラーユニット１７へと導くように構成されている。ミラーユニット１７は、光源ユニット１５のミラーによって光路を９０°変更された光の光路を更に１８０°変更するために、反射面が相互に直交するように配置された一対のミラーを備えている。ＡＤＦ１０４から供給される原稿を読み取る場合には、光源ユニット１５は所定の読取位置（ＣＩＳ１４の対面位置）に保持された状態で画像を読み取り、原稿台１１ｂにセットされた原稿を読み取る場合には、光源ユニット１５を原稿台１１ｂの面に平行に走査させるように構成されている。
【００６５】
ミラーユニット１７によって導かれた光は結像レンズ１８の作用によりＣＣＤラインセンサ１９に結像する。ＣＣＤラインセンサ１９は入力された光をその光量に応じたアナログ電気信号に変換して出力する。ＣＣＤラインセンサ１９から出力されたアナログ電気信号は、図示していないＡＤ変換器によりデジタル信号に変換され、原稿読取時の光源の配光特性、ＣＣＤラインセンサ１９の感度ムラ等の補正が施された後、画像データとして生成される。生成された画像データは画像形成部２０の画像メモリ１０７（図１参照）へ出力される。
【００６６】
画像形成部２０は、感光体ドラム２３、感光体ドラム２３を帯電させる帯電器２５、帯電した感光体ドラム２３上にレーザ光で画像を書き込むことにより潜像を形成するレーザ書込装置２１、感光体ドラム２３上の潜像を現像する現像器２２、感光体ドラム２３上に残留している現像剤を除去して感光体ドラム２３を再生するクリーニングユニット２４等からなる電子写真方式のプロセス部を備えており、このプロセス部に用紙を搬送することによって画像形成を行なう。
【００６７】
また、画像形成部２０は、プロセス部の下方（上流側）に用紙を収容するための給紙カセット３０を備えており、この給紙カセット３０に収容された用紙を用紙搬送路Ｓ１の近傍に設けられたピックアップローラ３０ａによって１枚ずつ分離給送する。給紙カセット３０から分離給送された用紙がプロセス部へ搬送された場合、その用紙はレジストローラ３１によって一旦保持される。レジストローラ３１は、図示していないレジスト前検知スイッチの検知信号に基づいて、感光体ドラム２３上のトナー像の先端が、用紙の画像形成領域の先端に一致するようにタイミングを制御して、感光体ドラム２３の回転に合わせて用紙をプロセス部へ搬送するようにしている。
【００６８】
更に、画像形成部２０の下側には、複数種の用紙を収容するために給紙カセット５１，５２，５３が設けられた給紙部５０が設置されている。給紙部５０では、上述した給紙カセット３０と同様に、給紙カセット５１，５２，５３に夫々収容された用紙を各給紙カセット５１，５２，５３が備えるピックアップローラ５１ａ，５２ａ，５３ａにより１枚ずつ分離給送し、用紙搬送路Ｓ１を通じて画像形成部２０のプロセス部へ搬送する。
【００６９】
プロセス部にてトナー像が転写された用紙は、プロセス部の下流側に設置された定着ユニット２７へと搬送される。定着ユニット２７は、ヒートローラ及び加圧ローラを備えており、トナー像が転写された用紙を両ローラが挟んで回転させることにより、ヒートローラの熱でトナー像を用紙上に加熱定着させる。
【００７０】
定着ユニット２７によりトナー像が加熱定着された用紙は、複写機１００が備える幾つかの排紙トレイのいずれかに排出される。デフォルトの設定では、排紙すべき用紙が排紙トレイ３４へ導かれるように搬送ローラ３２及び切替ゲート３３が制御される。従って、排紙ローラ３４ａを通じてフェイスダウンの状態で排紙トレイ３４上に用紙が排出される。一方、利用者が排紙部４０に搭載されている排紙トレイ４１，４２，４３のいずれかへ排出することを指定した場合、切替ゲート３３が切り替えられて搬送ローラ３５により排紙部４０へ用紙が導かれ、排紙トレイ４１，４２，４３のいずれかに用紙が排出される。
【００７１】
一方、フェイスアップの状態で用紙を排出する場合、又は用紙の両面に画像形成を行なう場合には、搬送ローラ３２，３５により用紙を一旦把持した後、搬送ローラ３２，３５を逆方向に回転駆動させて搬送ローラ３６により両面原稿搬送路Ｓ２へ用紙を導く。フェイスアップの状態で排紙を行なう場合には、排紙ローラ３７ａを通じて排紙トレイ３７へ用紙を排出する。また、用紙の裏面に画像形成を行なう場合には、用紙を両面原稿搬送路Ｓ２を介して再び画像形成部２０のレジストローラ３１へ導き、画像形成部２０のプロセス部において用紙の裏面側にトナー像の形成を行なう。なお、両面原稿搬送路Ｓ２の下端側には手差トレイ３８が設置されており、給紙カセット３０，５１，５２，５３に収容されていない種類の用紙をピックアップローラ３８ａにより取り込めるようにしている。
【００７２】
以下に、上述した構成の複写機１００による複写処理について説明する。図４は実施形態１に係る複写機１００による複写処理の際の処理手順を示すフローチャートである。なお、以下の処理は、制御部１０１のＲＯＭに格納されている制御プログラムに従って制御部１０１のＣＰＵが実行する。
【００７３】
複写機１００の原稿トレイ１１ａに原稿が載置され、操作パネル１０３を通じて原稿の複写指示がなされた場合、制御部１０１は、ＡＤＦ１０４の呼込ローラ１３ａを駆動して原稿の給送を開始する（ステップＳ１）。呼込ローラ１３ａによって１枚ずつ分離給送された原稿は、ＣＩＳ１４との対面位置を通過する際に、原稿裏面の画像がＣＩＳ１４によって、原稿表面に記録された画像がＣＣＤラインセンサ１９によってそれぞれ読み取られる（ステップＳ２）。
【００７４】
ＣＩＳ１４及びＣＣＤラインセンサ１９が読み取った画像は画像データとして出力され、画像メモリ１０７に保持される（ステップＳ３）。制御部１０１は、原稿検知センサ１２ｂ，１２ｃが検知する原稿トレイ１１ａ上の原稿の有無に基づいて、全原稿の読取が完了したか否かを判断し（ステップＳ４）、完了していないと判断した場合（Ｓ４：ＮＯ）、処理をステップ１へ戻して原稿の給送及び読取を続行する（ステップＳ１〜Ｓ３）。
【００７５】
制御部１０１は、全原稿の読取が完了したと判断した場合（Ｓ４：ＹＥＳ）、ＣＩＳ１４が読み取った画像に基づいて検出部１１０が所定画像の検出を行なう（ステップＳ５）。ここでは、原稿読取部１０の読取対象である原稿束における２頁目の原稿裏面に所定画像が形成されているか否かを検出する。制御部１０１は、検出部１１０が所定画像を検出したか否かを判断し（ステップＳ６）、所定画像が検出されたと判断した場合（Ｓ６：ＹＥＳ）、複写を許可し（ステップＳ７）、全原稿から読み取って画像メモリ１０７に保持させた画像データを印字部１１１へ転送して印字処理を実行する（ステップＳ８）。
【００７６】
制御部１０１は全原稿の印字が完了したか否かを判断し（ステップＳ９）、全原稿の印字が完了していないと判断した場合（Ｓ９：ＮＯ）、処理をステップＳ８へ戻して印字処理を続行する（ステップＳ８）。また、制御部１０１は、全原稿の印字が完了したと判断した場合（Ｓ９：ＹＥＳ）、画像メモリ１０７が保持している画像データを消去することにより、読み取った画像を無効化し（ステップＳ１０）、印字処理を終了する。
【００７７】
一方、制御部１０１は、ステップＳ６で、検出部１１０によって所定画像が検出されなかったと判断した場合（Ｓ６：ＮＯ）、複写を許可しない。この場合、制御部１０１は、複写対象の原稿束の複写処理が行なえない旨を示すメッセージを操作パネル１０３に表示して利用者に通知し（ステップＳ１１）、画像メモリ１０７が保持している画像データを消去することにより、読み取った画像を無効化して（ステップＳ１０）、複写処理を終了する。
【００７８】
上述したように、複写対象の原稿束中の２頁目の原稿裏面に所定画像が形成されている場合は、２頁目を含む全原稿について複写が許可されているので、複写を指示した利用者はセキュリティを意識することなく機密文書の複写を行なうことができる。一方、２頁目の原稿裏面に所定画像が形成されていない場合は、２頁目を含む全原稿について複写が許可されないので複写を禁止することができる。
【００７９】
上述した実施形態１では、原稿束に基づく複写を許可するための所定画像が２頁目の原稿裏面に形成されている例について説明したが、２頁目以外の原稿裏面に形成されていてもよい。図５は所定画像の形成箇所の変形例を示す模式図である。図５（ａ）では１頁目及び２頁目の裏面に所定画像が形成されている。この場合、１頁目及び２頁目に所定画像が形成されている旨の情報を管理部１０２に記憶させておき、原稿読取部１０のＣＩＳ１４によってそれぞれの原稿裏面から読み取られ、画像メモリ１０７に記憶された画像データに基づいて、１頁目及び２頁目の裏面に所定画像が形成されているか否かの検出を行なう。ここで、１頁目及び２頁目の裏面に所定画像が検出された場合には当該原稿束の複写が許可され、いずれか一方でも検出されない場合には当該原稿束の複写が許可されない。
【００８０】
また、図５（ｂ）に示すように、複写対象の原稿束のそれぞれの原稿について、裏面に所定画像が形成されている場合に当該原稿の複写が許可され、裏面に所定画像が形成されていない場合に当該原稿の複写が許可されないとすることもできる。この場合、裏面に所定画像が形成されている原稿の複写が許可されている旨の情報を管理部１０２に記憶させておき、原稿読取部１０のＣＩＳ１４によってそれぞれの原稿裏面から読み取られ、画像メモリ１０７に記憶された画像データに基づいて、それぞれの原稿裏面に所定画像が形成されているか否かの検出を行なう。
【００８１】
以下に、上述したように裏面に所定画像が形成されている原稿の複写が許可され、裏面に所定画像が形成されていない原稿の複写が許可されないという条件の下で動作する複写機１００による複写処理について説明する。図６はこのような条件での複写機１００による複写処理の際の処理手順を示すフローチャートである。なお、以下の処理は、制御部１０１のＲＯＭに格納されている制御プログラムに従って制御部１０１のＣＰＵが実行する。
【００８２】
図４に従って上述した処理と同様にして、原稿の給送から所定画像を検出するまでの処理（ステップＳ２１〜Ｓ２５）を実行した後、制御部１０１は、所定画像が検出されたか否かを判断する（ステップＳ２６）。ここでは、原稿読取部１０が読み取る原稿束において、何頁目の原稿裏面に所定画像が形成されているかを検出する。制御部１０１は、所定画像が検出されたと判断した場合（Ｓ２６：ＹＥＳ）、即ち、所定画像が裏面に形成された原稿が読取対象の原稿束に含まれている場合、裏面に所定画像が形成された原稿の複写を許可し、原稿から読み取って画像メモリ１０７に保持させてある画像データの内の複写が許可された画像データを印字部１１１へ転送し（ステップＳ２７）、印字処理を実行する（ステップＳ２８）。
【００８３】
制御部１０１は、複写が許可された全原稿の印字が完了したか否かを判断し（ステップＳ２９）、全原稿の印字が完了していないと判断した場合（Ｓ２９：ＮＯ）、処理をステップＳ２７へ戻して印字処理を続行する（ステップＳ２７〜Ｓ２８）。また、制御部１０１は、複写が許可された全原稿の印字が完了したと判断した場合（Ｓ２９：ＹＥＳ）、画像メモリ１０７が保持している画像データを消去することにより、読み取った画像を無効化し（ステップＳ３０）、印字処理を終了する。
【００８４】
一方、制御部１０１は、ステップＳ２６で、検出部１１０によって所定画像が検出されなかったと判断した場合（Ｓ２６：ＮＯ）、即ち、所定画像が裏面に形成された原稿が読取対象の原稿束に含まれていない場合、全原稿の複写を許可しない。この場合、制御部１０１は、当該原稿束の複写処理が行なえない旨を示すメッセージを操作パネル１０３に表示して利用者に通知し（ステップＳ３１）、画像メモリ１０７が保持している画像データを消去することにより、読み取った画像を無効化して（ステップＳ３０）、複写処理を終了する。
【００８５】
更に、図５（ｃ）に示すように、複写が許可された原稿が連続する場合に、連続する原稿が含まれる領域を許可領域とし、この許可領域の開始頁及び終了頁の裏面に所定画像が形成された原稿束に基づく複写処理を図７に示すフローチャートに基づいて説明する。なお、以下の処理は、制御部１０１のＲＯＭに格納されている制御プログラムに従って制御部１０１のＣＰＵが実行する。また、この場合、開始頁及び終了頁に所定画像が形成されている旨の情報を管理部１０２に記憶させておき、原稿読取部１０のＣＩＳ１４によってそれぞれの原稿裏面から読み取られ、画像メモリ１０７に記憶された画像データに基づいて、それぞれの原稿裏面に所定画像が形成されているか否かの検出を行なう。
【００８６】
図４又は図６に従って上述した処理と同様にして、原稿の給送から所定画像を検出するまでの処理（ステップＳ４１〜Ｓ４５）を実行した後、制御部１０１は、読取対象の原稿束の内の偶数枚の原稿から所定画像が検出されたか否かを判断する（ステップＳ４６）。制御部１０１は、偶数枚の原稿から所定画像が検出されたと判断した場合（Ｓ４６：ＹＥＳ）、所定画像が検出された原稿の内の奇数番目の原稿と、次に所定画像が検出された原稿とを含み、これらの原稿に挟まれた許可領域内の各原稿の複写を許可し、画像メモリ１０７に保持させてある画像データの内の、複写が許可された許可領域内の原稿に対応する画像データを印字部１１１へ転送し（ステップＳ４７）、印字処理を実行する（ステップＳ４８）。
【００８７】
制御部１０１は、許可領域内の全原稿の印字が完了したか否かを判断し（ステップＳ４９）、全原稿の印字が完了していないと判断した場合（Ｓ４９：ＮＯ）、処理をステップＳ４７へ戻して印字処理を続行する（ステップＳ４７〜Ｓ４８）。また、制御部１０１は、許可領域内の全原稿の印字が完了したと判断した場合（Ｓ４９：ＹＥＳ）、画像メモリ１０７が保持している画像データを消去することにより、読み取った画像を無効化し（ステップＳ５０）、印字処理を終了する。
【００８８】
一方、制御部１０１は、ステップＳ４６で、偶数枚の原稿から所定画像が検出されなかったと判断した場合（Ｓ４６：ＮＯ）、全原稿の複写を許可しない。この場合、制御部１０１は、当該原稿束の複写処理が行なえない旨を示すメッセージを操作パネル１０３に表示して利用者に通知し（ステップＳ５１）、画像メモリ１０７が保持している画像データを消去することにより、読み取った画像を無効化して（ステップＳ５０）、複写処理を終了する。
【００８９】
上述したように、本発明の画像読取装置では、複写対象の原稿束における複写を許可するか否かを示す所定画像の原稿裏面への形成箇所が適宜変更された場合であっても、それぞれ設定された条件に従って、読取対象の原稿に基づく複写を制限することができる。なお、上述した実施形態では、原稿裏面には所定画像が１つ形成されているように説明したが、図５（ｄ）に示すように、それぞれの原稿裏面に所定画像を複数形成するようにしてもよい。
【００９０】
実施形態２．
以下に、実施形態２に係る複写機について説明する。なお、本実施形態２の複写機の内部構成は上述の実施形態１と同様であるため、その説明を省略する。また、上述の実施形態１の複写機１００は、原稿裏面に所定画像が形成されている場合に当該原稿束の複写処理の実行が可能である構成としたが、本実施形態２の複写機は、原稿裏面に所定画像が形成されている場合に利用者の認証を行ない、利用者が認証された場合にのみ当該原稿束の複写処理の実行を可能とする構成とする。
【００９１】
具体的には、本実施形態２において、処理対象である原稿束中の２頁目の原稿裏面に形成される所定画像は、当該原稿束の複写処理の実行が許可されていない旨、即ち利用者の認証を必要とする旨を示すものであり、制御部１０１は、検出部１１０により２頁目の原稿裏面に所定画像を検出した場合、操作パネル１０３に認証データの入力指示を表示させることにより、認証データの入力を要求する。そして、制御部１０１のＣＰＵは、ＲＯＭに記憶してある認証処理プログラムをＲＡＭにロードして実行することにより、利用者により入力された認証データと、管理部１０２に記憶してある認証のためのデータとが一致するか否かを判断する。
【００９２】
ここで、認証結果が一致する場合、即ち正当な権限を有する利用者であると認証された場合、制御部１０１は、当該原稿束の複写処理の実行が許可されたと判断し、原稿読取部１０により読み取られて画像メモリ１０７に記憶された画像データを印字部１１１へ転送させる。一方、認証結果が一致しない場合、即ち正当な権限を有する利用者であると認証されなかった場合、制御部１０１は、当該原稿束の複写処理の実行が許可されなかったと判断し、複写処理の実行ができない旨を操作パネル１０３に表示させて利用者に通知する。また、制御部１０１は、当該原稿束の複写処理の実行が許可されなかったと判断した場合、原稿読取部１０により原稿から読み取られて画像メモリ１０７に一時的に記憶されている画像データを消去することにより、読み取った画像の無効化を実行する。
【００９３】
以下に、本実施形態２の複写機１００による複写処理について説明する。図８は実施形態２に係る複写機１００による複写処理の際の処理手順を示すフローチャートである。なお、以下の処理は、制御部１０１のＲＯＭに格納されている制御プログラムに従って制御部１０１のＣＰＵが実行する。
【００９４】
上述した実施形態１と同様にして、原稿の給送から所定画像を検出するまでの処理（ステップＳ６１〜Ｓ６５）を実行した後、制御部１０１は、所定画像が検出されたか否かを判断する（ステップＳ６６）。ここでは、原稿読取部１０が読み取る原稿束における２頁目の原稿裏面に所定画像が形成されているか否かを検出する。制御部１０１は、検出部１１０が所定画像を検出したと判断した場合（Ｓ６６：ＹＥＳ）、認証要求を行なう（ステップＳ６７）。具体的には、制御部１０１は、操作パネル１０３の表示部に認証データの入力を促す表示を行ない、複写指示を行なった利用者によって入力された認証データと管理部１０２に記憶してある認証用データとを比較検証して認証を行なう。
【００９５】
そして、制御部１０１は、利用者が認証されたか否かを判断し（ステップＳ６８）、利用者が認証されたと判断した場合（Ｓ６８：ＹＥＳ）、又はステップＳ６６において所定画像が検出されなかったと判断した場合（Ｓ６６：ＮＯ）、複写を許可し（ステップＳ６９）、全原稿から読み取って画像メモリ１０７に保持させた画像データを印字部１１１へ転送して印字処理を実行する（ステップＳ７０）。
【００９６】
制御部１０１は全原稿の印字が完了したか否かを判断し（ステップＳ７１）、全原稿の印字が完了していないと判断した場合（Ｓ７１：ＮＯ）、処理をステップＳ７０へ戻して印字処理を続行する（ステップＳ７０）。また、制御部１０１は、全原稿の印字が完了したと判断した場合（Ｓ７１：ＹＥＳ）、画像メモリ１０７が保持している画像データを消去することにより、読み取った画像を無効化し（ステップＳ７２）、印字処理を終了する。
【００９７】
一方、制御部１０１は、ステップＳ６８で、利用者が認証されなかったと判断した場合（Ｓ６８：ＮＯ）、複写を許可しない。この場合、制御部１０１は、当該原稿束の複写処理が行なえない旨を示すメッセージを操作パネル１０３に表示して利用者に通知し（ステップＳ７３）、画像メモリ１０７が保持している画像データを消去することにより、読み取った画像を無効化して（ステップＳ７２）、複写処理を終了する。
【００９８】
上述したように、処理対象である原稿束中の２頁目の原稿裏面に所定画像が形成されている場合は、２頁目を含む全原稿について利用者の認証が必要になるので、正当な権限を有する利用者であると認証された場合にのみ複写が許可される。これにより、正当な利用者以外の利用者による複写が禁止される。
【００９９】
上述した実施形態２では、原稿束に基づく複写を制限するための所定画像が２頁目の原稿裏面に形成されている例について説明したが、上述の実施形態１の変形例として示したように２頁目以外の原稿裏面に形成されていてもよい。図９は所定画像の形成箇所の変形例を示す模式図である。図９（ａ）に示すように、複写対象の原稿束のそれぞれの原稿について、裏面に所定画像が形成されている原稿を複写する場合に認証を必要とする複写処理を図１０に示すフローチャートに基づいて説明する。なお、以下の処理は、制御部１０１のＲＯＭに格納されている制御プログラムに従って制御部１０１のＣＰＵが実行する。
【０１００】
また、この場合、裏面に所定画像が形成されている原稿の複写を行なう場合に認証を必要とする旨の情報を管理部１０２に記憶させておき、原稿読取部１０のＣＩＳ１４によってそれぞれの原稿裏面から読み取られ、画像メモリ１０７に記憶された画像データに基づいて、それぞれの原稿裏面に所定画像が形成されているか否かの検出を行なう。なお、裏面に所定画像が形成されていない原稿は、認証を行なわずに複写することができるものとする。
【０１０１】
図８に従って上述した処理と同様にして、原稿の給送から所定画像を検出するまでの処理（ステップＳ８１〜Ｓ８５）を実行した後、制御部１０１は、所定画像が検出されたか否かを判断する（ステップＳ８６）。ここでは、原稿読取部１０が読み取る原稿束において、何頁目の原稿裏面に所定画像が形成されているかを検出する。制御部１０１は、所定画像が検出されたと判断した場合（Ｓ８６：ＹＥＳ）、即ち、所定画像が裏面に形成された原稿が読取対象の原稿束に含まれている場合、認証要求を行なう（ステップＳ８７）。
【０１０２】
そして、制御部１０１は、利用者が認証されたか否かを判断し（ステップＳ８８）、利用者が認証されたと判断した場合（Ｓ８８：ＹＥＳ）、又はステップＳ８６において所定画像が検出されなかったと判断した場合（Ｓ８６：ＮＯ）、複写を許可し（ステップＳ８９）、全原稿から読み取って画像メモリ１０７に保持させた画像データを印字部１１１へ転送して印字処理を実行する（ステップＳ９０）。
【０１０３】
制御部１０１は全原稿の印字が完了したか否かを判断し（ステップＳ９１）、全原稿の印字が完了していないと判断した場合（Ｓ９１：ＮＯ）、処理をステップＳ９０へ戻して印字処理を続行する（ステップＳ９０）。また、制御部１０１は、全原稿の印字が完了したと判断した場合（Ｓ９１：ＹＥＳ）、画像メモリ１０７が保持している画像データを消去することにより、読み取った画像を無効化し（ステップＳ９２）、印字処理を終了する。
【０１０４】
一方、制御部１０１は、ステップＳ８８で、利用者が認証されなかったと判断した場合（Ｓ８８：ＮＯ）、ステップＳ８５において所定画像が検出されなかった原稿の複写のみを許可する。そして、制御部１０１は、画像メモリ１０７に保持させてある画像データの内の複写が許可された画像データのみを印字部１１１へ転送し（ステップＳ９３）、印字処理を実行する（ステップＳ９４）。
【０１０５】
制御部１０１は、複写が許可された全原稿の印字が完了したか否かを判断し（ステップＳ９５）、全原稿の印字が完了していないと判断した場合（Ｓ９５：ＮＯ）、処理をステップＳ９３へ戻して印字処理を続行する（ステップＳ９３〜Ｓ９４）。また、制御部１０１は、複写が許可された全原稿の印字が完了したと判断した場合（Ｓ９５：ＹＥＳ）、当該原稿束の内の一部の原稿の複写処理が行なえない旨を示すメッセージを操作パネル１０３に表示して利用者に通知し（ステップＳ９６）、画像メモリ１０７が保持している画像データを消去することにより、読み取った画像を無効化して（ステップＳ９２）、複写処理を終了する。
【０１０６】
更に、図９（ｂ）に示すように、複写を行なう際に認証を必要とする原稿が連続する領域を認証必要領域とし、この認証必要領域の開始頁及び終了頁の裏面に所定画像が形成された原稿束に基づく複写処理を図１１に示すフローチャートに基づいて説明する。なお、以下の処理は、制御部１０１のＲＯＭに格納されている制御プログラムに従って制御部１０１のＣＰＵが実行する。また、この場合、所定画像が形成されている開始頁及び終了頁間の原稿の複写を行なう場合に認証を必要とする旨の情報を管理部１０２に記憶させておき、原稿読取部１０のＣＩＳ１４によってそれぞれの原稿裏面から読み取られ、画像メモリ１０７に記憶された画像データに基づいて、それぞれの原稿裏面に所定画像が形成されているか否かの検出を行なう。
【０１０７】
図８又は図１０に従って上述した処理と同様にして、原稿の給送から所定画像を検出するまでの処理（ステップＳ１０１〜Ｓ１０５）を実行した後、制御部１０１は、読取対象の原稿束の内の偶数枚の原稿から所定画像が検出されたか否かを判断する（ステップＳ１０６）。制御部１０１は、偶数枚の原稿から所定画像が検出されたと判断した場合（Ｓ１０６：ＹＥＳ）、認証要求を行なう（ステップＳ１０７）。
【０１０８】
そして、制御部１０１は、利用者が認証されたか否かを判断し（ステップＳ１０８）、利用者が認証されたと判断した場合（Ｓ１０８：ＹＥＳ）、又はステップＳ１０６において、偶数枚の原稿から所定画像が検出されなかったと判断した場合（Ｓ１０６：ＮＯ）、複写を許可し（ステップＳ１０９）、全原稿から読み取って画像メモリ１０７に保持させた画像データを印字部１１１へ転送して印字処理を実行する（ステップＳ１１０）。
【０１０９】
制御部１０１は全原稿の印字が完了したか否かを判断し（ステップＳ１１１）、全原稿の印字が完了していないと判断した場合（Ｓ１１１：ＮＯ）、処理をステップＳ１１０へ戻して印字処理を続行する（ステップＳ１１０）。また、制御部１０１は、全原稿の印字が完了したと判断した場合（Ｓ１１１：ＹＥＳ）、画像メモリ１０７が保持している画像データを消去することにより、読み取った画像を無効化し（ステップＳ１１２）、印字処理を終了する。
【０１１０】
一方、制御部１０１は、ステップＳ１０８で、利用者が認証されなかったと判断した場合（Ｓ１０８：ＮＯ）、ステップＳ１０５において所定画像が検出された原稿の内の奇数番目の原稿と、次に所定画像が検出された原稿とを含み、これらの原稿に挟まれた認証必要領域内にない各原稿の複写を許可し、画像メモリ１０７に保持させてある画像データの内の、複写が許可された認証必要領域外の各原稿に対応する画像データを印字部１１１へ転送し（ステップＳ１１３）、印字処理を実行する（ステップＳ１１４）。
【０１１１】
制御部１０１は、認証必要領域外の全原稿の印字が完了したか否かを判断し（ステップＳ１１５）、全原稿の印字が完了していないと判断した場合（Ｓ１１５：ＮＯ）、処理をステップＳ１１３へ戻して印字処理を続行する（ステップＳ１１３〜Ｓ１１４）。また、制御部１０１は、認証必要領域外の全原稿の印字が完了したと判断した場合（Ｓ１１５：ＹＥＳ）、当該原稿束の内の一部の原稿の複写処理が行なえない旨を示すメッセージを操作パネル１０３に表示して利用者に通知し（ステップＳ１１６）、画像メモリ１０７が保持している画像データを消去することにより、読み取った画像を無効化して（ステップＳ１１２）、複写処理を終了する。
【０１１２】
上述した実施形態１及び２では、読取対象の原稿束の全原稿を原稿読取部１０によって読み取った後、画像メモリ１０７に記憶してある画像データに基づいて各原稿裏面に所定画像が形成されているか否かを検出する構成としてあるが、原稿の読取処理と所定画像の検出処理とを並行して行なうことも可能であり、このような構成において、原稿束の読取中に利用者認証が必要であると判断された時点で原稿の読取を中断させ、正当であると認証された場合に中断していた読取処理を再開させるようにすることができる。
【０１１３】
上述した実施形態１及び２では、ＣＩＳ１４を用いて原稿の裏面を表面と同時的に読み取る構成としたが、必ずしも同時的に読み取る必要はない。例えば、図１２に示すように、ＡＤＦ１０４に読取用の原稿を表裏反転させる機構を搭載することにより、原稿の表面を読み取った後に原稿の表裏を反転させて原稿の裏面の画像を読み取る構成であっても良い。この場合、原稿の表面を読み取る読取機構と裏面を読み取る読取機構とを共用することができる。
【０１１４】
図１２は複写機１００に設けられた原稿読取部１０の構成の変形例を示す縦断面図である。図１２に示す複写機１００の最上段に設けられた原稿読取部１０は、図２に示したＣＩＳ１４を備えていないため、原稿の表面及び裏面の画像を同時的に読み取ることができないが、読取用の原稿を表裏反転させることによって原稿の表面及び裏面の画像をそれぞれ読み取るように構成されている。なお、図１２に示す各部おいて、図２に示す各部と同一の機能を果たすものについては同一の符号を付して説明する。
【０１１５】
原稿読取部１０に搭載されているＡＤＦ１０４は、読取用の原稿をフェイスアップの状態で積層するための原稿トレイ１１ａ、載置された原稿の幅方向の位置を規制する原稿規制板１２ａ、原稿トレイ１１ａに積層された原稿を最上層から１枚ずつ取り込むための呼込ローラ１３ａ、呼込ローラ１３ａにより取り込んだ原稿を原稿台１１ｂまで搬送する搬送ローラ１３ｂ，１３ｃ、原稿台１１ｂ上の原稿を排紙トレイ１６の方向へ又はその逆の方向へ搬送する搬送ベルト１３ｄ、画像を読み取った後に原稿を排紙トレイ１６へ排出する排紙ローラ１３ｅ，１３ｆにより構成されている。
【０１１６】
また、図１２に示すＡＤＦ１０４は、原稿台１１ｂから排紙トレイ１６の方向とは逆の方向へ搬送ベルト１３ｄによって搬送された原稿を搬送経路Ｓ３へ誘導する搬送ローラ１３ｇ、搬送ローラ１３ｇによって搬送された原稿をそのまま搬送ローラ１３ｃまで搬送する搬送ローラ１３ｈを更に備えている。これにより、ＡＤＦ１０４は、原稿トレイ１１ａ上に積層された原稿を最上層から１枚ずつ取り込んで原稿台１１ｂまで搬送し、原稿の表面に記録された画像を読み取った後、搬送ローラ１３ｇ，１３ｈによって表裏反転させた上で再度原稿台１１ｂまで搬送し、原稿の裏面に記録された画像を読み取るように構成されている。また、表面及び裏面を読み取られた原稿は、排紙トレイ１６へ排出される。
【０１１７】
なお、原稿読取部１０が備える光源ユニット１５、ミラーユニット１７、結像レンズ１８、及びＣＣＤラインセンサ１９、及び原稿読取部１０の下側に配置されている画像形成部２０、排紙部４０及び給紙部５０は、図２に示すものと同一であるため説明を省略する。
【０１１８】
上述した実施形態１及び２では、本発明の画像読取装置を、スキャナ機能、コピー機能及びファイリング機能を備えた複写機１００に適用した例として説明したが、外部の装置及び通信回線に接続可能に構成することにより、外部から送信されたプリントデータを受信して用紙上に画像を形成するプリント機能、この画像読取装置によって原稿から読み取った画像データを外部の装置へ送信するイメージ送信機能等を有するファクシミリ装置又はプリンタ等の各種画像処理装置、及びこれらの機能を複合した複合機においても利用することができる。
【０１１９】
また、上述した実施形態では、原稿裏面に所定画像が形成されているか否かに基づいて複写処理の実行を制限するように構成した例について説明したが、例えばファクシミリ送信及びＬＡＮ等の通信回線を介したネットワーク送信の実行を制限することもできる。更に、上述したように、複写処理の実行が許可された場合に原稿表面の画像を複写するだけでなく、所定の原稿裏面に形成された画像も複写するように構成することもでき、この場合には、機密文書の複製においても、複写処理の実行を制限することができ、セキュリティの更なる強化を図ることができる。
【図面の簡単な説明】
【０１２０】
【図１】実施形態１に係る複写機の機能構成例を示すブロック図である。
【図２】複写機の機械的内部構成例を示す縦断面図である。
【図３】ＣＩＳによる原稿裏面の読取処理の様子を示す模式図である。
【図４】実施形態１に係る複写機による複写処理の際の処理手順を示すフローチャートである。
【図５】所定画像の形成箇所の変形例を示す模式図である。
【図６】複写機による複写処理の際の処理手順を示すフローチャートである。
【図７】複写機による複写処理の際の処理手順を示すフローチャートである。
【図８】複写機による複写処理の際の処理手順を示すフローチャートである。
【図９】所定画像の形成箇所の変形例を示す模式図である。
【図１０】複写機による複写処理の際の処理手順を示すフローチャートである。
【図１１】複写機による複写処理の際の処理手順を示すフローチャートである。
【図１２】原稿読取部の機械的内部構成の変形例を示す縦断面図である。
【符号の説明】
【０１２１】
１００  複写機（画像読取装置）
１０１  制御部（判断手段、認証手段）
１０５  光学式読取ユニット（読取手段）
１０７  画像メモリ（記憶手段）
１１０  検出部（検出手段）
１４  ＣＩＳ
【図１】
2006025255.tif 000003
【図２】
2006025255.tif 000004
【図３】
2006025255.tif 000005
【図４】
2006025255.tif 000006
【図５】
2006025255.tif 000007
【図６】
2006025255.tif 000008
【図７】
2006025255.tif 000009
【図８】
2006025255.tif 000010
【図９】
2006025255.tif 000011
【図１０】
2006025255.tif 000012
【図１１】
2006025255.tif 000013
【図１２】
2006025255.tif 000014